(57)【特許請求の範囲】
【請求項１】
自動車に搭載され、ＣＤ-ＤＡに記録されているオーディオデータを再生出力する車載ディスク再生装置であって、
装着されたＣＤ-ＤＡの回転速度のモードとして複数の異なる回転速度のモードを備えたディスクドライブと、
現在の自動車の状態が所定の省電力動作条件が満たされているか否かを判定する省電力動作条件判定部と、
ショックプルーフメモリと、
前記省電力動作条件判定部が前記省電力動作条件が満たされていないと判定しているときに、前記ディスクドライブの前記回転速度のモードとして第１のモードを設定し、前記省電力動作条件判定部が前記省電力動作条件が満たされていると判定しているときに、前記ディスクドライブの前記回転速度のモードとして前記第１のモードよりも前記回転速度が低速な第２のモードを設定する回転速度モード制御部と、
前記ディスクドライブの前記回転速度のモードとして前記第１のモードが設定されているときに、前記ショックプルーフメモリに格納されたオーディオデータを取り出して再生出力するデータ再生部と、
前記ディスクドライブを介して当該ディスクドライブに装着されたＣＤ-ＤＡからオーディオデータを読み出す読出制御部とを有し、
前記ディスクドライブの前記回転速度のモードとして前記第１のモードが設定されているときに、読出制御部は、前記ショックプルーフメモリに前記データ再生部が再生するオーディオデータが所定量保持されるように、前記ディスクドライブに装着されたＣＤ-ＤＡから読み出したオーディオデータを前記ショックプルーフメモリに格納し、
前記省電力動作条件判定部は、前記省電力動作条件として、前記自動車が停車しているときに満たされ、前記自動車が停車していないときに満たされない第１の条件を用い、
前記ディスクドライブの前記回転速度のモードとして前記第２のモードが設定されているときには、前記ショックプルーフメモリへの電力供給は停止されると共に、前記データ再生部は、前記読出制御部が前記ディスクドライブに装着されたＣＤ-ＤＡから読み出したオーディオデータをショックプルーフメモリを介さずに前記読出制御部から取得して再生し、
前記第２のモードの回転速度は、前記ディスクドライブが、前記データ再生部の前記オーディオデータの再生レート相当のレートで前記ＣＤ-ＤＡに記録されているオーディオデータを読み出す回転速度であることを特徴とする車載ディスク再生装置。
【請求項２】
請求項１記載の車載ディスク再生装置であって、
前記省電力動作条件判定部は、前記省電力動作条件として、前記第１の条件に代えて、前記自動車の車速が所定速度以下であるときに満たされ、前記自動車の車速が前記所定速度を超えるときに満たされない第２の条件を用いることを特徴とする車載ディスク再生装置。
【請求項３】
請求項１記載の車載ディスク再生装置であって、
前記自動車は停車時のアイドリングストップ機能を備えた自動車であって、
前記省電力動作条件判定部は、前記省電力動作条件として、前記第１の条件に代えて、前記自動車がアイドリングをストップしているときに満たされ、前記自動車がアイドリングをストップしていないときに満たされない第３の条件を用いることを特徴とする車載ディスク再生装置。
【請求項４】
装着されたＣＤ-ＤＡの回転速度のモードとして複数の異なる回転速度のモードを有するディスクドライブと、ショックプルーフメモリとを備えた、自動車に搭載されるコンピュータによって読み取られ実行されるコンピュータプログラムであって、
当該コンピュータプログラムは、前記コンピュータを、
現在の自動車の状態が所定の省電力動作条件が満たされているか否かを判定する省電力動作条件判定部と、
前記省電力動作条件判定部が前記省電力動作条件が満たされていないと判定しているときに、前記ディスクドライブの前記回転速度のモードとして第１のモードを設定し、前記省電力動作条件判定部が前記省電力動作条件が満たされていると判定しているときに、前記ディスクドライブの前記回転速度のモードとして前記第１のモードよりも前記回転速度が低速な第２のモードを設定する回転速度モード制御部と、
前記ディスクドライブの前記回転速度のモードとして前記第１のモードが設定されているときに、前記ショックプルーフメモリに格納されたオーディオデータを取り出して再生出力するデータ再生部と、
前記ディスクドライブを介して当該ディスクドライブに装着されたＣＤ-ＤＡからオーディオデータを読み出す読出制御部と、
して機能させるコンピュータプログラムであって、
前記ディスクドライブの前記回転速度のモードとして前記第１のモードが設定されているときに、前記読出制御部は、前記ショックプルーフメモリに前記データ再生部が再生するオーディオデータが所定量保持されるように、前記ディスクドライブに装着されたＣＤ-ＤＡから読み出したオーディオデータを前記ショックプルーフメモリに格納し、
前記省電力動作条件判定部は、前記省電力動作条件として、前記自動車が停車しているときに満たされ、前記自動車が停車していないときに満たされない第１の条件を用い、
前記ディスクドライブの前記回転速度のモードとして前記第２のモードが設定されているときには、前記ショックプルーフメモリへの電力供給は停止されると共に、前記データ再生部は、前記読出制御部が前記ディスクドライブに装着されたＣＤ-ＤＡから読み出したオーディオデータをショックプルーフメモリを介さずに前記読出制御部から取得して再生し、
前記第２のモードの回転速度は、前記ディスクドライブが、前記データ再生部の前記オーディオデータの再生レート相当のレートで前記ＣＤ-ＤＡに記録されているオーディオデータを読み出す回転速度であることを特徴とするコンピュータプログラム。
【請求項５】
請求項４記載のコンピュータプログラムであって、
前記省電力動作条件判定部は、前記省電力動作条件として、前記第１の条件に代えて、前記自動車の車速が所定速度以下であるときに満たされ、前記自動車の車速が前記所定速度を超えるときに満たされない第２の条件を用いることを特徴とするコンピュータプログラム。
【請求項６】
請求項４記載のコンピュータプログラムであって、
前記自動車は停車時のアイドリングストップ機能を備えた自動車であって、
前記省電力動作条件判定部は、前記省電力動作条件として、前記第１の条件に代えて、前記自動車がアイドリングをストップしているときに満たされ、前記自動車がアイドリングをストップしていないときに満たされない第３の条件を用いることを特徴とするコンピュータプログラム。
【発明の詳細な説明】
【技術分野】
【０００１】
本発明は、ディスク再生装置の省電力化の技術に関するものである。
【背景技術】
【０００２】
ディスク再生装置の省電力化の技術としては、ＣＤに記録されたオーディオデータの再生ビットレートよりも高速な読出速度でＣＤから先読みしたオーディオデータを蓄積するショックプルーフメモリを備えると共に、当該ショックプルーフメモリから必要なオーディオデータを読出して再生出力を行うショックプルーフ機能を備えたポータブルディスク再生装置において、ＣＤからの読出エラーの発生頻度が小さい場合には、ショックプルーフ機能を用いずにＣＤから読み出したオーディオデータを直接再生出力する通常再生を行い、振動によるＣＤからの読出エラーの発生頻度が大きい場合には、ショックプルーフ機能を用いるようすることにより、振動によるＣＤからの読出エラーの発生頻度が小さい期間中には、ショックプルーフ機能に要する電力消費を抑制する技術が知られている。
【先行技術文献】
【特許文献】
【０００３】
【特許文献１】特開平７-０１４３０９号公報
【発明の概要】
【発明が解決しようとする課題】
【０００４】
上述したＣＤからの読出エラーの発生頻度の大小に応じて、ショックプルーフ機能の利用の有無の切り替えを行う技術によれば、ショックプルーフ機能を用いずに通常再生を行っている期間中に振動によるＣＤからの読出エラーが発生することがあり、この場合、オーディオデータの再生出力に障害が発生してしまうことが避けられない。
【０００５】
そこで、本発明は、車載ディスク再生装置において、オーディオデータの再生出力の障害の発生を抑制しつつ、省電力化を図ることを課題とする。
【課題を解決するための手段】
【０００６】
前記課題達成のために、本発明は、自動車に搭載され、ディスクに記録されているデータを再生出力する車載ディスク再生装置に、装着されたディスクの回転速度のモードとして複数の異なる回転速度のモードを備えたディスクドライブと、現在の自動車の状態が所定の省電力動作条件が満たされているか否かを判定する省電力動作条件判定部と、ショックプルーフメモリと、前記ショックプルーフメモリに格納されたデータを取り出して再生出力するデータ再生部と、前記ショックプルーフメモリに前記データ再生部が再生するデータが所定量保持されるように、前記ディスクドライブを介して当該ディスクドライブに装着されたディスクからデータを読出して前記ショックプルーフメモリに格納する読出制御部と、前記省電力動作条件判定部が前記省電力動作条件が満たされていないと判定しているときに、前記ディスクドライブの前記回転速度のモードとして第１のモードを設定し、前記省電力動作条件判定部が前記省電力動作条件が満たされていると判定しているときに、前記ディスクドライブの前記回転速度のモードとして前記第１のモードよりも前記回転速度が低速な第２のモードを設定する回転速度モード制御部とを設けたものである。ここで、前記省電力動作条件判定部は、前記省電力動作条件として、前記自動車が停車しているときに満たされ、前記自動車が停車しているときに満たされない第１の条件、もしくは、前記自動車の車速が所定速度以下であるときに満たされ、前記自動車の車速が前記所定速度を超えるときに満たされない第２の条件、もしくは、前記自動車がアイドリングをストップしているときに満たされ、前記自動車がアイドリングをストップしていないときに満たされない第３の条件を用いる。なお、前記ディスクは、たとえば、前記データとしてオーディオデータを記録したＣＤ-ＤＡである。
【０００７】
このような車載ディスク再生装置によれば、ディスクドライブの回転速度のモードは、省電力動作条件が満たされていないときには高速度モードに設定され、省電力動作条件が満たされているときには低速度モードに設定される。
ここで、高速度モードでは、低速度モードよりも高速にディスクからデータをショックプルーフメモリに読み込むことができるので、低速度モードよりも耐振性は強くなる。一方、低速度モードでは高速度モードよりも耐振性は弱くなるが、低速度モードは、省電力動作条件が満たされた場合、すなわち、自動車が停車中である場合や所定速度以下の低速走行中である場合にのみ設定され、当該停車中や低速走行中には、ディスクのデータ読出に障害を与えるような振動は生じないことが期待できる。よって、低速度モードの設定期間中においても、データの再生出力に障害が生じないことが期待できる。
【０００８】
一方で、ディスクドライブの消費電力は、低速度モードで動作している場合の方が、高速度モードで動作している場合よりも、ディスクの回転速度や再生動作が遅くなる分小さくなる。よって、このように省電力動作条件が満たされている場合に、低速度モードを設定することにより、振動によるデータの再生出力の障害の発生を回避しつつ、車載ディスク再生装置の消費電力を省電力化することができる。
【０００９】
ここで、このような車載ディスク装置は、前記ディスクドライブの前記回転速度のモードとして前記第２のモードが設定されているときには、前記データ再生部において、前記読出制御部が前記ディスクドライブに装着されたディスクから読み出したデータをショックプルーフメモリを介さずに前記読出制御部から取得して再生すると共に、前記ショックプルーフメモリへの電力供給は停止するようにしてもよい。
【００１０】
このようにすることにより、さらに、省電力動作条件が満たされている期間中のショックプルーフメモリの電力消費を抑制することができる。なお、この場合において、前記ディスクとして、前記データとしてオーディオデータを記録したＣＤ-ＤＡを用いる場合には、前記第２のモードの回転速度は、前記ディスクドライブが、前記データ再生部の前記オーディオデータの再生レート相当のレートで前記ディスクに記録されているオーディオデータを読み出す回転速度としてよい。
【発明の効果】
【００１１】
以上のように、本発明によれば、車載ディスク再生装置において、オーディオデータの再生出力の障害の発生を抑制しつつ、省電力化を図ることができる。
【図面の簡単な説明】
【００１２】
【図１】本発明の実施形態に係るディスク再生装置の構成を示すブロック図である。
【図２】本発明の実施形態に係る省電力ＣＤ再生制御処理を示すフローチャートである。
【図３】本発明の実施形態に係る省電力ＣＤ再生制御処理の動作例を示す図である。
【図４】本発明の実施形態に係る省電力ＣＤ再生制御処理を示すフローチャートである。
【発明を実施するための形態】
【００１３】
以下、本発明の実施形態について説明する。
図１に、本実施形態に係るディスク再生装置の構成を示す。
図示するようにディスク再生装置１は、装着されたＣＤやＤＶＤなどのディスク２に記録されているオーディオデータやビデオデータなどのＡＶデータを読み出すディスクドライブ１０１、ディスクドライブ１０１の動作を制御するディスクドライバ１０２、ディスクドライバ１０２を介してディスク２よりデータを読み出す読出制御部１０３、読出制御部１０３が読み出したデータが格納されるショックプルーフメモリ１０４、ショックプルーフメモリ１０４からデータが転送されるデータバッファ１０５、データバッファ１０５に格納されたデータを再生する再生処理部１０６、再生処理部１０６のデータ再生によって得られた画像、映像を表示する表示装置１０７、再生処理部１０６のデータ再生によって得られた音声を出力するスピーカ１０８、入力装置１０９、以上の各部を制御する制御部１１０とを備えている。
【００１４】
ただし、ディスク再生装置１は、ＣＰＵやメモリや記憶装置その他の周辺装置を備えたコンピュータを用いて構成するようにしてもよく、この場合、ディスクドライバ１０２や読出制御部１０３や再生処理部１０６や制御部１１０は、ＣＰＵが記憶装置に記憶されたコンピュータプログラムを実行することにより実現されるものとして良い。また、ショックプルーフメモリ１０４は、メモリカードなどの外部記憶装置であってよい。
【００１５】
また、このようなディスク再生装置１には、ディスク再生装置１が搭載された自動車の各種制御や状態管理を行うＥＣＵ３や、当該自動車の移動方向/速度や地図データに基づく現在位置の算出を行うナビゲーション装置４が接続しており、ディスク装置の制御部１１０は、ＥＣＵ３やナビゲーション装置４と通信を行って、各種情報をＥＣＵ３やナビゲーション装置４から取得することができる。
【００１６】
以下、このようなディスク装置の動作を、ディスクドライブ１０１にディスク２として装着されたＣＤ-ＤＡの再生を行う場合を例にとり説明する。
まず、ディスクドライブ１０１は、ＣＤ-ＤＡの回転速度（線速度）のモードとして複数の速度モードを備えている。すなわち、ディスクドライブ１０１は、たとえば、ＣＤ-ＤＡからのオーディオデータの読み出し/転送速度がＣＤ-ＤＡの規格上の速度である１７６.４ＫＢ/ｓとなる回転速度を１倍速とし、ＣＤ-ＤＡからのオーディオデータの読み出し/転送速度が１倍速のＮ（≧２）倍となる回転速度をＮ倍速として、回転速度が１倍速となる１倍速モードと、回転速度がＮ倍速となるＮ倍速モードとを備えている。そして、ディスクドライブ１０１の速度モードは、ディスクドライバ１０２によって切り替え制御することができる。
【００１７】
次に、読出制御部１０３は、ＣＤ-ＤＡの再生時、ディスクドライバ１０２を介してディスクドライブ１０１に装着されたＣＤ-ＤＡからの再生開始位置以降のオーディオデータの読出と、ショックプルーフメモリ１０４への格納を行う。ここで、読出制御部１０３は、ＣＤ-ＤＡからオーディオデータの読み出しにエラーが発生した場合、当該エラー発生部分のオーディオデータの再読出とショックプルーフメモリ１０４への再格納を行う。
【００１８】
また、読出制御部１０３は、ショックプルーフメモリ１０４のオーディオデータの格納量が、所定再生時間分のオーディオデータ量となるまで、ＣＤ-ＤＡからのオーディオデータの読出とショックプルーフメモリ１０４への格納を継続して行い、ショックプルーフメモリ１０４に、所定再生時間分のオーディオデータが格納されたならば、オーディオデータの読出、格納を一旦停止する。そして、以降は、ショックプルーフメモリ１０４のオーディオデータの格納量が、前記所定再生時間分のオーディオデータ量から所定量を減じた量となったならば、オーディオデータの読出、格納を再開し、ショックプルーフメモリ１０４のオーディオデータの格納量が、所定再生時間分のオーディオデータ量となるまで、ＣＤ-ＤＡからのオーディオデータの読出とショックプルーフメモリ１０４への格納を行って、オーディオデータの読出、格納を一旦停止する動作を繰り返す。
【００１９】
なお、このような読出制御部１０３によるＣＤ-ＤＡからオーディオデータの読み出しの速度は、当該時点でディスクドライブ１０１に設定されている速度モードに従った回転速度に応じた速度となる。
次に、再生処理部１０６は、ＣＤ-ＤＡの再生時、ショックプルーフメモリ１０４からオーディオデータを順次取り出してデータバッファ１０５に一時格納すると共に、データバッファ１０５に格納したオーディオデータを順次取り出して再生しスピーカに出力する処理を行う。
【００２０】
さて、次に、制御部１１０が行う省電力ＣＤ再生制御処理について説明する。
ここで、この省電力ＣＤ再生制御処理は、ＣＤ-ＤＡの再生開始時に起動され実行が開始される。
図２に、省電力ＣＤ再生制御処理の手順を示す。
図示するように、この処理では、まず、現在、ディスク再生装置１が搭載されている自動車の状態が省電力動作条件を満たすかどうかを調べる（ステップ２０２）。
ここで、省電力動作条件としては、自動車が停車しているという条件、すなわち、自動車が停車しているときに満たされ、自動車が走行しているときに満たされないとする条件を用いる。ただし、省電力動作条件としては、自動車の車速が所定速度（たとえば、２０Ｋｍ/ｈ）以下であるという条件、すなわち、自動車の車速が所定速度以下であるとき（車速０の停車中を含む）に満たされ、自動車が所定速度超で走行しているときに満たされないとする条件を用いるようにしてもよい。また、ディスク再生装置１が搭載されている自動車が、停車時のアイドリングストップ機能を備えた自動車である場合には、省電力動作条件としては、自動車がアイドリングストップしているという条件、すなわち、自動車がアイドリングストップしているときに満たされ、自動車がアイドリングストップしていないときに満たされないとする条件を用いるようにしてもよい。
【００２１】
ここで、このような省電力動作条件の判定に必要な自動車の停車の有無の情報や、自動車の車速の情報や、自走車のアイドリングストップの有無の情報は、ＥＣＵ３やナビゲーション装置４から取得する。
そして、省電力動作条件が満たされていれば（ステップ２０２）、ディスクドライバ１０２を介してディスクドライブ１０１に速度モードとして、ディスクドライブ１０１が対応している速度モードのうちの、１倍速以上の最も低速な回転速度で再生を行う速度モード（通常は、１倍速モード）である低速度モードを設定する（ステップ２０４）。
【００２２】
一方、省電力動作条件が満たされていなければ（ステップ２０２）、ディスクドライバ１０２を介してディスクドライブ１０１に速度モードとして、ディスクドライブ１０１が対応している速度モードのうちの、予め定めたＮ（≧２）倍速以上の回転速度で再生を行う速度モードである高速度モードを設定する（ステップ２０８）。但し、高速度モードの回転速度は、低速度モードの回転速度よりも高速なもとする。
【００２３】
そして、以降は、低速度モードを速度モードとして設定している期間中に、省電力動作条件が満たされなくなったならば（ステップ２０６）、ディスクドライバ１０２を介してディスクドライブ１０１に速度モードとして高速度モードを設定し（ステップ２０８）、高速度モードを速度モードとして設定している期間中に、省電力動作条件が満たされたならば（ステップ２１０）、ディスクドライバ１０２を介してディスクドライブ１０１に速度モードとして低速度モードを設定する（ステップ２０４）処理を繰り返す。
【００２４】
以上、省電力ＣＤ再生制御処理について説明した。
このような省電力ＣＤ再生制御処理によれば、たとえば、省電力動作条件として、自動車が停車しているときに省電力動作条件が満たされ、自動車が走行しているときに省電力動作条件が満たされないとする条件を用いた場合、図３に示すように、ディスクドライブ１０１の速度モードは、自動車の走行中は高速度モードに設定され、自動車の停車中は低速度モードに設定される。
【００２５】
ここで、高速度モードでは、低速度モードよりも高速にＣＤ-ＤＡからオーディオデータをショックプルーフメモリ１０４に読み込むことができるので、低速度モードよりも耐振性は強くなる。一方、低速度モードでは高速度モードよりも耐振性は弱くなるが、低速度モードは自動車が停車中にのみ設定され、当該停車中に大きな振動は生じないことが期待できる。よって、低速度モードの設定期間中においても、オーディオデータの再生出力に障害が生じないことが期待できる。
【００２６】
ここで、ディスクドライブ１０１の消費電力は、低速度モードで動作している場合の方が、高速度モードで動作している場合よりも、ディスク２の回転速度や再生動作が遅くなる分小さくなる。よって、このように自動車の停車中に低速度モードを設定することにより、オーディオデータの再生出力に障害が生じないようにしつつ、ディスク再生装置１の消費電力を省電力化することができる。
【００２７】
また、自動車の停車中は、自動車の走行による騒音が発生しないため、ディスクドライブ１０１のディスク２を回転駆動する音がユーザにとって、より耳障りになるが、ディスク２を回転駆動する音は、低速度モードで動作している場合の方が、高速度モードで動作している場合よりも小さくなる。よって、このように自動車の停車中に低速度モードを設定することにより、自動車の停車中の静音化を測ることができる。
【００２８】
また、自動車の停車中は、ディスクドライブ１０１に装着するディスク２の交換を行うことが多いが、低速度モードで動作している場合の方が、高速度モードで動作している場合よりも、ディスクドライブ１０１がディスク２の停止、排出に要する時間が短縮できるので、このように自動車の停車中に低速度モードを設定することにより、速やかなディスク交換が可能となる。
【００２９】
なお、省電力動作条件として、自動車がアイドリングストップしているときに省電力動作条件が満たされ、自動車がアイドリングストップしていないときに省電力動作条件が満たされないとする条件を用いる場合も、省電力動作条件として、自動車が停車しているときに省電力動作条件が満たされ、自動車が走行しているときに省電力動作条件が満たされないとする条件を用いる場合と同様である。
【００３０】
また、省電力動作条件として、自動車が所定速度以下で走行しているときに省電力動作条件が満たされ、自動車が所定速度超で走行しているときに省電力動作条件が満たされないとする条件を用いる場合には、ディスクドライブ１０１の速度モードは、自動車の停車中や低速走行中は低速度モードに設定され、自動車の高速走行中は高速度モードに設定される。
【００３１】
ここで、低速度モードでは高速度モードよりも耐振性は弱くなるが、低速度モードは自動車が停車中や低速走行中にのみ設定され、当該停車中に大きな振動は生じず、低速走行中にはディスクドライブ１０１の再生エラーを誘発する主要因である高周波の振動は生じないことが期待できる。よって、このようにした場合も、低速度モードの設定期間中においても、オーディオデータの再生出力に障害が生じないことが期待できる。よって、このようにしても、オーディオデータの再生出力に障害が生じないようにしつつ、ディスク再生装置１の消費電力を省電力化することができる。
【００３２】
以上、本発明の実施形態について説明した。
ところで、以上の実施形態では、ディスクドライブ１０１の速度モードとして高速度モードを設定しているときも、低速度モードを設定しているときにも、読出制御部１０３がディスク２から読み出したデータをショックプルーフメモリ１０４に格納し、再生処理部１０６において、データバッファ１０５を介してショックプルーフメモリ１０４からデータを読み出して再生するようにしたが、これは低速度モードを設定しているときには、ショックプルーフメモリ１０４を用いずに、読出制御部１０３において、ディスク２から読み出したデータを直接データバッファ１０５に格納し、再生処理部１０６において、データバッファ１０５からデータを読み出して再生するように構成することもできる。
【００３３】
すなわち、この場合には、図１に破線で示した経路で、読出制御部１０３がディスク２から読み出したデータを、直接、データバッファ１０５に格納できるようにディスク再生装置１を構成する。
そして、ディスク再生装置１に、ショックプルーフモードと無ショックプルーフモードとの二つの動作モードを設ける。そして、ショックプルーフモードが設定されている期間中は、上述のように、読出制御部１０３がディスク２から読み出したデータをショックプルーフメモリ１０４に格納し、再生処理部１０６において、データバッファ１０５を介してショックプルーフメモリ１０４からデータを読み出して再生するようにする。また、無ショックプルーフモードが設定されている期間中は、読出制御部１０３がディスク２から読み出したデータを、直接、データバッファ１０５に格納し、再生処理部１０６において、データバッファ１０５からデータを読み出して再生するようにする。また、無ショックプルーフモードが設定されている期間中は、ショックプルーフメモリ１０４への電力供給を停止し、さらなる省電力化を測る。
【００３４】
ここで、このようにショックプルーフモードと無ショックプルーフモードとの二つの動作モードを設ける場合において、ＣＤ-ＤＡの再生を行う場合には、制御部１１０は、上述した省電力ＣＤ再生制御処理を図４に示すように行う。
すなわち、この省電力ＣＤ再生制御処理において、制御部１１０は、現在、ディスク再生装置１が搭載されている自動車の状態が省電力動作条件を満たすかどうかを調べ（ステップ４０２）、省電力動作条件が満たされていないときにはステップ４０４に進む。
一方、省電力動作条件が満たされていれば（ステップ４０２）、ディスクドライバ１０２を介してディスクドライブ１０１に速度モードとして、低速度モードを設定する（ステップ４１２）。ただし、ここでは、低速度モードは１倍速の回転速度の速度モードとする。そして、ディスクドライブ１０１の低速度モードでの動作が安定し、データバッファ１０５への書き込みデータをシームレスに切り替え可能な状態となったならば（ステップ４１４）、無ショックプルーフモードを設定する（ステップ４１６）。ここで、データバッファ１０５への書き込みデータをシームレスに切り替え可能な状態とは、現在、ショックプルーフモードにおいて、ショックプルーフメモリ１０４からデータバッファ１０５へのオーディオデータの転送を行っている場合には、ショックプルーフメモリ１０４からデータバッファ１０５に転送されるオーディオデータの再生時間位置と、読出制御部１０３がＣＤ-ＤＡから読み出すオーディオデータの再生時間位置とが一致する状態を指す。また、現在が再生開始直後や再生トラックのスキップ発生の直後であって、ショックプルーフメモリ１０４からデータバッファ１０５へのオーディオデータの転送を行っていない場合には、無条件に、データバッファ１０５への書き込みデータをシームレスに切り替え可能な状態にあるとする。ここで、このように、データバッファ１０５への書き込みデータをシームレスに切り替え可能な状態となってから、動作モードを無ショックプルーフモードに切り替えることにより、ショックプルーフモードから無ショックプルーフモードへの切り替え時にも、再生処理部１０６において、シームレスにオーディオデータの再生を行えるようになる。
【００３５】
そして、以降は、省電力動作条件が満たされなくなることを監視し（ステップ４１８）、省電力動作条件が満たされなくなった場合には、再生処理部１０６からスピーカへの音声出力を抑止する音声ミュートを設定し（ステップ４２０）、ステップ４０４に進む。
一方、このようにして、ステップ４０４またはステップ４２０からステップ４０４に進んだならば、ディスクドライバ１０２を介してディスクドライブ１０１に速度モードとして、高速度モードを設定し、ディスクドライブ１０１の高速度モードでの動作が安定したならばショックプルーフモードを設定し（ステップ４０６）、現在、音声ミュートが設定されている場合には、当該音声ミュートを解除する（ステップ４０８）。ここで、このように、ステップ４２０で音声ミュートを設定しステップ４０８で音声ミュートを解除するのは、無ショックプルーフモードにおいてデータバッファ１０５に最後に格納されたオーディオデータの再生時と、ショックプルーフモードにおいてショックプルーフメモリ１０４に最初に格納されるオーディオデータの再生時との間の、再生すべきオーディオデータが欠落する期間の発生によるノイズ音の出力を抑止するためである。
【００３６】
そして、以降は、省電力動作条件が満たされることを監視し（ステップ４１０）、省電力動作条件が満たされたならばステップ４１２に進む。
このような省電力ＣＤ再生制御処理によれば、省電力動作条件が満たされていないときには、ディスクドライブ１０１の速度モードは高速度モードに設定されるが、省電力動作条件が満たされているときには、ディスクドライブ１０１の速度モードは低速度モードに設定されディスクドライブ１０１の省電力化が測られる。また、省電力動作条件が満たされていないときには、ショックプルーフモードが設定されショックプルーフメモリ１０４が使用されるが、省電力動作条件が満たされているときには、無ショックプルーフモードが設定され、ショックプルーフメモリ１０４への電力供給が停止され、ショックプルーフメモリ１０４の省電力化が測られることとなる。
【００３７】
なお、以上では、ＣＤ-ＤＡの再生を行う場合を中心に、ディスク再生装置１の動作について説明したが、以上のような省電力動作条件が満たされたときにディスクドライブ１０１に低速度モードを設定し、省電力動作条件が満たされないときに高速度モードを設定する動作は、ＣＤ-ＤＡの再生を行う場合と同様に、ＣＤ-ＤＡ以外の種別のＣＤや、ＤＶＤに記録されているＡＶデータの再生を行う場合に同様に適用することができる。
【符号の説明】
【００３８】
１…ディスク再生装置、２…ディスク、３…ＥＣＵ、４…ナビゲーション装置、１０１…ディスクドライブ、１０２…ディスクドライバ、１０３…読出制御部、１０４…ショックプルーフメモリ、１０５…データバッファ、１０６…再生処理部、１０７…表示装置、１０８…スピーカ、１０９…入力装置、１１０…制御部。
【図１】
0005595173.tif 000002
【図２】
0005595173.tif 000003
【図３】
0005595173.tif 000004
【図４】
0005595173.tif 000005